(57)【要約】【課題】地上交換機が常に正常な無線機を選択することを可能にし、移動局と地上交換機間の通話を保証する。【解決手段】通話無線機１１，１２の故障状態を、移動局３１の無線機状態監視部２１が定期的に監視するとともに無線機状態格納部２２に結果を格納し、通話時に、呼制御部２３が無線機状態格納部２２の情報を読み出して地上交換機５１に送信する信号中に設定し、地上交換機５１は、その情報を利用して常に故障していない通話無線機を選択する。【選択図】　　　　図１
2004015425.tif 000002
【特許請求の範囲】
【請求項１】
複数の無線機を有し、地上交換機により選択された無線機を用いて地上交換機と通信を行う移動局において、
無線機の状態が正常か故障かを定期的に監視する無線機状態監視部と、
上記無線機状態監視部によって監視された無線機の状態を格納する無線機状態格納部と、
上記無線機状態格納部に格納された無線機の状態を、地上交換機との通話に至るシーケンスの信号中に設定して地上交換機に通知する呼制御部とを備えた移動局。
【請求項２】
移動局からのシーケンス信号中に設定された無線機の状態が正常か故障かの情報に基づいて、正常な無線機を選択する無線機選択部を備えた地上交換機。
【請求項３】
複数の無線機を有する移動局が、地上交換機により選択された無線機を用いて地上交換機と通信を行う無線システムにおいて、
上記移動局は、無線機の状態が正常か故障かを定期的に監視する無線機状態監視部と、上記無線機状態監視部によって監視された無線機の状態を格納する無線機状態格納部と、上記無線機状態格納部に格納された無線機の状態を、地上交換機との通話に至るシーケンスの信号中に設定して地上交換機に通知する呼制御部とを備え、
上記地上交換機は、移動局からのシーケンス信号中に設定された無線機の状態が正常か故障かの情報に基づいて、正常な無線機を選択する無線機選択部を備えたことを特徴とする無線システム。
【請求項４】
複数の無線機を有する移動局が地上交換機と通信を行う際の、地上交換機による無線機の選択制御方法において、
上記移動局が、上記地上交換機との通話に至るシーケンスの信号中に無線機の状態が正常か故障かの情報を設定し、
上記地上交換機が、受け取った無線機の状態についての情報に基づいて、正常な無線機を選択することを特徴とする無線機の選択制御方法。
【発明の詳細な説明】
【０００１】
【発明の属する技術分野】
この発明は、多重化構成を採用した移動局、地上交換機、無線システムおよび無線機の選択制御方法に関するものである。
【０００２】
【従来の技術】
列車における無線システムのように、移動局が複数の無線機で構成される多重化構成の無線システムでは、無線機の故障状態を管理し、正常な機器選択を行うよう制御する必要がある。
図１１，図１２は従来の無線機故障発生時の動作を説明するためのシーケンス図である。図１１は地上交換機５１から発信して移動局３１と通話を行う際のシーケンス図であり、図１２は移動局３１から発信する場合のシーケンス図である。図において移動局３１は周波数の異なる無線機Ａ，Ｂを実装しており、無線機Ａは故障しているものとする。
【０００３】
図１１において地上交換機５１から発信して移動局３１と通話を行う場合、地上交換機５１は、移動局３１に送信する呼設定信号にて、無線機Ａ，Ｂいずれを使用するか移動局に通知する。通常、地上交換機５１は、通話を行う無線機を選択する際に移動局の進行方向を基に決定する。この時、地上交換機５１には無線機Ａが故障していることが分からないため、無線機Ａが選択されることがある。その場合には、移動局３１と地上交換局５１間の通話は無音通話になってしまう。
【０００４】
また、図１２において移動局３１から発信して地上交換機５１と通話を行う場合、地上交換機５１は、移動局３１から受信した呼設定信号に対して送信する呼出信号中に、使用する無線機の情報を設定して移動局３１に通知するが、ここでも同様に、故障している無線機Ａが選択される場合があり、その結果無音通話が発生してしまう。
【０００５】
【発明が解決しようとする課題】
従来の無線システムは以上のように構成されているので、地上交換機による無線機の選択方式は、無線機の故障状態に拠らず移動局の進行方向により決定されるというものであり、選択した無線機が故障していた場合は、シーケンス上通話状態に至るが音声が通らない（無音となる）という課題があった。
【０００６】
また、移動局の無線機の故障状態を地上交換機により常時監視するとすれば、地上交換機にかかる負荷および通信回線のトラフィックの増大につながるという問題がある。
【０００７】
この発明は上記のような課題を解決するためになされたもので、地上交換機が移動局の無線機の状態を常時監視することなく、接続時に故障していない無線機を選択することにより、無音通話状態が発生しない移動局、地上交換機、無線システムおよび無線機の選択制御方法を得ることを目的とする。
【０００８】
【課題を解決するための手段】
この発明に係る移動局は、無線機の状態が正常か故障かを定期的に監視する無線機状態監視部と、無線機状態監視部によって監視された無線機の状態を格納する無線機状態格納部と、無線機状態格納部に格納された無線機の状態を、地上交換機との通話に至るシーケンスの信号中に設定して地上交換機に通知する呼制御部とを備えたものである。
【０００９】
この発明に係る地上交換機は、移動局からのシーケンス信号中に設定された無線機の状態が正常か故障かの情報に基づいて、正常な無線機を選択する無線機選択部を備えたものである。
【００１０】
この発明に係る無線システムは、移動局は、無線機の状態が正常か故障かを定期的に監視する無線機状態監視部と、無線機状態監視部によって監視された無線機の状態を格納する無線機状態格納部と、無線機状態格納部に格納された無線機の状態を、地上交換機との通話に至るシーケンスの信号中に設定して地上交換機に通知する呼制御部とを備え、地上交換機は、移動局からのシーケンス信号中に設定された無線機の状態が正常か故障かの情報に基づいて、正常な無線機を選択する無線機選択部を備えたものである。
【００１１】
この発明に係る無線機の選択制御方法は、移動局が、地上交換機との通話に至るシーケンスの信号中に無線機の状態が正常か故障かの情報を設定し、地上交換機が、受け取った無線機の状態についての情報に基づいて、正常な無線機を選択するものである。
【００１２】
【発明の実施の形態】
以下、この発明の実施の一形態を説明する。
実施の形態１．
図１は、この発明の実施の形態１による無線システムの構成を示すブロック図である。図において３１は移動局、１１，１２は通話無線機、１３は呼制御無線機、２１は無線機状態監視部、２２は無線機状態格納部、２３は呼制御部、５１は地上交換機、４１は呼制御部、４２は無線機選択部、６１は基地局である。
【００１３】
移動局３１は通話無線機１１，１２による多重化構成を採用している。移動局３１は、無線機状態監視部２１および無線機状態格納部２２を有している。通話無線機１１，１２は、無線機状態監視部２１によって周期的に故障状態を監視され、監視結果は無線機状態格納部２２に格納される。移動局３１と地上交換機５１との間の通話シーケンスは移動局３１の呼制御部２３および地上交換機５１の呼制御部４１により制御される。地上交換機５１は、通話に際して使用する無線機を選択する無線機選択部４２を有する。
【００１４】
次に動作について説明する。
図２は、移動局３１の無線機状態監視処理のフローチャートである。
ステップＳＴ１は移動局３１の立ち上げ時の処理であり、移動局３１に含まれる通話無線機１１，１２の故障状態に関して、無線機状態格納部２２に初期状態（正常）が設定される。
【００１５】
移動局３１の立ち上げ直後から、無線機状態監視部２１は通話無線機１１，１２の定周期監視を開始する。ステップＳＴ２において、無線機状態監視部２１は通話無線機１１の故障状態を判断し、故障を検出した場合は、ステップＳＴ３にて無線機状態格納部２２に通話無線機１１の故障を記録する。ステップＳＴ２において通話無線機１１が正常な状態であると判断された場合は、ステップＳＴ４で無線機状態格納部２２に通話無線機１１は正常であることが記録される。同様に、ステップＳＴ５において無線機状態監視部２１は通話無線機１２の故障状態を判断し、故障を検出した場合はステップＳＴ６にて無線機状態格納部２２に通話無線機１２の故障を、正常と判断した場合はステップＳＴ７にて正常であることをそれぞれ記録する。ここまでの処理が終了すると、ステップＳＴ８へ進み、予め設定された監視時間になったら再びステップＳＴ２に戻り、定期的な監視処理を行う。
【００１６】
次に移動局３１と地上交換機５１との通話時の処理について説明する。図３は、実施の形態１による、地上交換機５１から発信して移動局３１と通話を行う際のシーケンス図である。
地上交換機５１から発信して移動局３１と通話を行う場合、まず移動局３１に対してページング要求信号を送信する。移動局３１が呼制御無線機１３を介してページング要求信号を受信すると、呼制御部２３により無線機状態格納部２２から通話無線機１１，１２の故障情報が読み出される。読み出された故障情報の内容は、地上交換機５１に送信されるページング応答信号の情報要素として設定される。図４は移動局３１から地上交換機５１に対して送信されるページング応答信号のフォーマットを示す図である。通話無線機１１の故障情報は図中の４０１に格納され、正常であれば「０」が、故障であれば「１」が設定される。同様に、通話無線機１２の故障情報は図中の４０２に設定される。
【００１７】
移動局３１からページング応答信号を受信した地上交換機５１の呼制御部４１は、ページング応答信号から無線機の故障情報を抽出し、無線機選択部４２に通知する。無線機の故障情報を通知された無線機選択部４２は、通話無線機１１，１２の双方が故障していなければ、従来の選択方式通り進行方向によって通話無線機１１，１２のいずれかを選択する。一方、通話無線機１１が故障していれば通話無線機１２を、通話無線機１２が故障していれば通話無線機１１をそれぞれ選択する。
【００１８】
無線機選択部４２はこの選択結果を呼制御部４１に返し、その結果を受けた呼制御部４１は、その内容を移動局３１に送信する呼設定信号の情報要素として設定する。図５は地上交換機５１から移動局３１に対して送信される呼設定信号のフォーマットを示す図である。無線機選択部４２により選択された無線機の情報は図中５０１に格納され、移動局３１に送信される。
【００１９】
次に、移動局３１から発信して地上交換機５１と通話を行う場合の処理について説明する。
図６は、実施の形態１による、移動局３１から発信して地上交換機５１と通話を行う際のシーケンス図である。
移動局３１では、まず呼制御部２３により無線機状態格納部２２から通話無線機１１，１２の故障情報が読み出される。次に読み出された故障情報の内容が、地上交換機５１に送信される呼設定信号の情報要素として設定される。図７は移動局３１から地上交換機５１に対して送信される呼設定信号のフォーマットを示す図である。通話無線機１１の故障情報は図中の７０１に格納され、正常であれば「０」が、故障であれば「１」が設定される。同様に、通話無線機１２の故障情報は図中の７０２に設定される。
【００２０】
移動局３１から呼設定信号を受信した地上交換機５１の呼制御部４１は、呼設定信号から無線機の故障情報を抽出し、無線機選択部４２に通知する。無線機の故障情報を通知された無線機選択部４２は、通話無線機１１，１２の双方が故障していなければ、従来の選択方式通り進行方向によって通話無線機１１，１２のいずれかを選択する。一方、通話無線機１１が故障していれば通話無線機１２を、通話無線機１２が故障していれば通話無線機１１をそれぞれ選択する。
【００２１】
無線機選択部４２はこの選択結果を呼制御部４１に返し、その結果を受けた呼制御部４１は、その内容を移動局３１に送信する呼出信号の情報要素として設定する。図８は地上交換機５１から移動局３１に対して送信される呼出信号のフォーマットを示す図である。無線機選択部４２により選択された無線機の情報は図中８０１に格納され、移動局３１に送信される。
【００２２】
図９は、地上交換機５１から発信して移動局３１と通話を行う際に、無線機故障が発生した場合のシーケンス図である。ここでは、移動局３１の通話無線機１１が故障しているとする。地上交換機５１からページング要求信号を受信した移動局３１は、図４に示したようにページング応答信号に通話無線機１１が故障状態にあることを設定する。ページング応答信号を受信した地上交換機５１は、通話無線機１１の故障を知ることが出来るので、通話無線機１２を選択する。そして、図５に示したように呼設定信号にて通話無線機１２を指定することにより、正常な通話が可能となる。
【００２３】
また、図１０は、移動局３１から発信して地上交換機５１と通話を行う際に、無線機故障が発生した場合のシーケンス図である。ここでは、移動局３１の通話無線機１１が故障しているとする。移動局３１は、図７に示したように呼設定信号に通話無線機１１が故障状態にあることを設定する。呼設定信号を受信した地上交換機５１は、通話無線機１１の故障を知ることが出来るので、通話無線機１２を選択する。そして、図８に示したように呼出信号にて通話無線機１２を指定することにより、正常な通話が可能となる。
【００２４】
以上のように、この実施の形態１によれば、移動局３１と地上交換機５１間の通話において、多重化構成を採用した移動局３１の無線機の故障状態を、通話に至るシーケンスの信号中の情報要素として地上交換機５１に通知し、地上交換機５１は、その情報を利用して常に故障していない通話無線機を選択することにより、地上交換機５１による常時監視を行わずに、無音通話を抑止出来るという効果が得られる。
【００２５】
また、この実施の形態１によれば、無線機の故障状態の監視は、移動局３１の無線機状態監視部２１が定期的に行い、その結果を無線機状態格納部２２に格納し、通話時には、呼制御部２３が無線機状態格納部２２の情報を読み出して地上交換機５１に送信する信号中に設定するようにしたので、移動局自身により効率よく無線機の故障状態を監視出来るという効果が得られる。
【００２６】
【発明の効果】
以上のように、この発明によれば、地上交換機が移動局の無線機を常時監視することによる通信回線のトラフィック増加や地上交換機の処理負担を招くことなく、地上交換機が常に正常な無線機を選択することを可能にし、移動局と地上交換機間の通話を保証するという効果がある。
【図面の簡単な説明】
【図１】この発明の実施の形態１による無線システムの構成を示すブロック図である。
【図２】この発明の実施の形態１による移動局の無線機状態監視処理のフローチャートである。
【図３】この発明の実施の形態１による地上交換機から発信して移動局と通話を行う際のシーケンス図である。
【図４】この発明の実施の形態１による移動局から地上交換機に対して送信されるページング応答信号のフォーマットを示す図である。
【図５】この発明の実施の形態１による地上交換機から移動局に対して送信される呼設定信号のフォーマットを示す図である。
【図６】この発明の実施の形態１による移動局から発信して地上交換機と通話を行う際のシーケンス図である。
【図７】この発明の実施の形態１による移動局から地上交換機に対して送信される呼設定信号のフォーマットを示す図である。
【図８】この発明の実施の形態１による地上交換機から移動局に対して送信される呼出信号のフォーマットを示す図である。
【図９】この発明の実施の形態１による地上交換機から発信して移動局と通話を行う際に無線機故障が発生した場合のシーケンス図である。
【図１０】この発明の実施の形態１による移動局から発信して地上交換機と通話を行う際に無線機故障が発生した場合のシーケンス図である。
【図１１】従来の無線システムによる地上交換機から発信して移動局と通話を行う際に無線機故障が発生した場合のシーケンス図である。
【図１２】従来の無線システムによる移動局から発信して地上交換機と通話を行う際に無線機故障が発生した場合のシーケンス図である。
【符号の説明】
１１，１２　通話無線機、１３　呼制御無線機、２１　無線機状態監視部、２２　無線機状態格納部、２３　呼制御部、３１　移動局、４１　呼制御部、４２無線機選択部、５１　地上交換機、６１　基地局。
【図１】
2004015425.tif 000003
【図２】
2004015425.tif 000004
【図３】
2004015425.tif 000005
【図４】
2004015425.tif 000006
【図５】
2004015425.tif 000007
【図６】
2004015425.tif 000008
【図７】
2004015425.tif 000009
【図８】
2004015425.tif 000010
【図９】
2004015425.tif 000011
【図１０】
2004015425.tif 000012
【図１１】
2004015425.tif 000013
【図１２】
2004015425.tif 000014